(57)【特許請求の範囲】
【請求項１】
レンズ連結部材の挿入片に連結される眼鏡用のレンズ連結具であって、全体がプラスチック製であり、レンズの表面に固定される連結具本体を具え、該連結具本体は、前記挿入片を着脱可能に挿入させる、底部が閉じた盲孔としての挿入孔が設けられると共に、該挿入孔の開口端のレンズ側の縁には、前記挿入片を該開口端に向けてガイドする底部ガイド片が突設されており、
又、前記連結具本体の前記レンズの表面に固定される固定面部に、前記レンズに貫設された止着孔にその一端からその他端に向けて挿通される止着ピンが突設されており、該止着ピンが該止着孔に挿通された状態で、該他端で突出した突出部分が潰されることによって、該他端の周縁部分に係合する抜け止め突部が形成されるようになされていることを特徴とする眼鏡用のレンズ連結具。
【請求項２】
前記開口端の両側縁に側部ガイド片が突設されていることを特徴とする請求項１記載の眼鏡用のレンズ連結具。
【請求項３】
前記開口端の両側縁に側部ガイド片が、前記底部ガイド片上で突設されており、両側部ガイド片の対向する内面は、前記開口端から開口端先側に向けて外方に傾斜するガイド面とされ、ガイド面間の間隔は、該開口端先側に向けて拡大していることを特徴とする請求項１記載の眼鏡用のレンズ連結具。
【請求項４】
前記挿入孔の内面に係合凹部又は係合孔が設けられており、一方、前記挿入片には、該係合凹部又は該係合孔と係合し得る係合突部が設けられており、該係合突部と該係合凹部とが嵌合状態に係合し得ることを特徴とする請求項１記載の眼鏡用のレンズ連結具。
【請求項５】
前記底部ガイド片で前記止着ピンが突設されていることを特徴とする請求項１記載の眼鏡用のレンズ連結具。
【請求項６】
前記固定面部の、レンズに対する固定面を、レンズの表面に当接し得る湾曲面に形成したことを特徴とする請求項１記載の眼鏡用のレンズ連結具。
【請求項７】
前記固定面部に突設された前記止着ピンは１本であり、該止着ピンの横断面は非円形に形成されており、該止着ピンは、前記レンズに設けられてなる、該止着ピンの横断面形状に合致する非円形の止着孔に挿通可能としたことを特徴とする請求項１記載の眼鏡用のレンズ連結具。
【請求項８】
水平方向で逆向きに突出する左右の挿入片が設けられてなるレンズ連結部材と、請求項１〜７の何れかに記載の眼鏡用のレンズ連結具がレンズに固定されてなる連結具付きレンズとを具え、該眼鏡用のレンズ連結具は、レンズの表面の上の縁部分に、前記挿入孔をその孔心を水平状態にして固定されると共に、該挿入孔に前記挿入片が着脱可能に挿入されており、
前記固定面部に突設された止着ピンが、前記上の縁部分に貫設された止着孔にその一端からその他端に向けて挿通され、該他端で突出した突出部分が潰されることによって、該他端の周縁部分に係合する抜け止め突部が形成されていることを特徴とするレンズ交換可能の眼鏡。
【請求項９】
下向きに突出する左右の挿入片が設けられてなるレンズ連結部材と、請求項１〜７の何れかに記載の眼鏡用のレンズ連結具がレンズに固定されてなる連結具付きレンズとを具え、該眼鏡用のレンズ連結具は、レンズの表面の内側（鼻に近い側）の縁部分に、前記挿入孔をその孔心を上下方向にして固定されると共に、該挿入孔に前記挿入片が着脱可能に挿入されており、
前記固定面部に突設された止着ピンが、前記内側（鼻に近い側）の縁部分に貫設された止着孔にその一端からその他端に向けて挿通され、該他端で突出した突出部分が潰されることによって、該他端の周縁部分に係合する抜け止め突部が形成されていることを特徴とするレンズ交換可能の眼鏡。
【請求項１０】
カット加工によって所要形態のレンズを形成できるプラスチック製のレンズ形成板に、請求項１〜７の何れかに記載の眼鏡用のレンズ連結具が固定されていることを特徴とするレンズ形成基材。
【請求項１１】
跳ね上げ式眼鏡のレンズ連結部材であって、
該レンズ連結部材は、パイプ状支持軸と、該パイプ状支持軸に挿通される回動軸とからなり、
該回動軸には請求項１に記載の眼鏡用レンズ連結具の挿入孔に挿入可能な挿入片が両端に設けられており、レンズ連結部材を眼鏡用レンズ連結具と着脱可能としたことを特徴とする跳ね上げ式眼鏡のレンズ連結部材。
【請求項１２】
該パイプ状支持軸の両端部分には、左右の本体レンズの内縁部分に沿わせて設けられた弾性湾曲係合片が設けられていることを特徴とする請求項１１に記載の跳ね上げ式眼鏡のレンズ連結部材。
【請求項１３】
請求項１１に記載の跳ね上げ式眼鏡のレンズ連結部材において、
パイプ状支持軸の中央部両側にそれぞれ、上弦部の内端が固着されており、
該上弦部の内端からは鼻当てパッドを下端に有するパッドアームが屈曲形成されており、かつ該上弦部の外端にはテンプル連結片が後方向に屈曲形成され、該テンプル連結片にテンプルが開閉可能に取り付けられることを特徴とする跳ね上げ式の眼鏡フレーム。
【発明の詳細な説明】
【技術分野】
【０００１】
本発明は、レンズ交換を可能とする眼鏡用のレンズ連結具に関するものであり、又、これを用いてなるレンズ交換可能の眼鏡に関するものである。更に、該眼鏡用のレンズ連結具を用いてなるレンズ形成用基材に関するものである。
【背景技術】
【０００２】
眼鏡には、その使用目的に応じて幾種類ものタイプがある。その一つとして、本体眼鏡に着脱可能に取り付けられることによってサングラスを掛けた状態等が得られるように構成された前掛け式眼鏡がある。
【０００３】
該前掛け式眼鏡の一例としては、実開昭５８−９１７２１号公報（特許文献１）や特開昭５０−１２０６４１号公報（特許文献２）等が開示するような、クリップを介して本体眼鏡に着脱可能に取り付けられて撥ね上げ可能となされた前掛け式眼鏡や、特開２００３−２４１１４９号公報（特許文献３）が開示するような、本体眼鏡の左右のレンズの外縁部分や内縁部分に係合し得る弾性湾曲係合片を介し該本体眼鏡に着脱可能に取り付けられて撥ね上げ可能となされた前掛け式眼鏡がある。或いは、実用新案登録第３１１７５８０号公報（特許文献４）や実用新案登録第３１２５９０１号公報（特許文献５）が開示するような、本体眼鏡の左右のレンズ部を前面側から覆い得る左右の補助レンズを具えた前掛け式眼鏡を本体眼鏡のレンズ枠に着脱可能としてなる、撥ね上げ方式でない前掛け式眼鏡がある。
【０００４】
かかる前掛け式眼鏡の内、撥ね上げ可能に構成された眼鏡を本体眼鏡に取り付けた場合は、該前掛け式眼鏡を下ろした状態ではサングラスとして使用できる一方、自動車の運転中にトンネルに入ったとき等、暗所に入ったときには、これを撥ね上げることによって、本体眼鏡で視界を確保して見ることができ走行の安全性等を確保できた。
【０００５】
その他、実開昭５８−１００３１５号公報（特許文献６）が開示するような、左右の上弦部相互を連結部で連結してなる眼鏡フロントフレームの左右の上弦部の下側の部分（目と対向する部分）をレンズが覆い得るように、該レンズを該上弦部に撥ね上げ可能に取り付けてなる撥ね上げ式眼鏡も提案されている。該撥ね上げ式眼鏡が、例えば老眼鏡を含めた遠視用眼鏡である場合は、該撥ね上げ式眼鏡を下ろした状態では景色等の離れたところに位置する物を見ることができる一方、新聞や書籍等を読むなど手近な物を見るときにはこれを撥ね上げることによって裸眼で楽に見ることができた。又、該撥ね上げ式眼鏡がサングラスである場合は、これを下ろした状態ではサングラスとして使用できる一方、自動車の運転中にトンネルに入ったとき等、暗所に入ったときには、これを撥ね上げることによって裸眼で視界を確保して見ることができ、走行の安全性等を確保できた。
【０００６】
かかる前掛け式眼鏡や撥ね上げ式眼鏡において、レンズ連結部材の左右の連結片にレンズを取り付ける構成の一態様としては、左右のリムにレンズを嵌着してなるものの他、例えば特許文献１の第２図や、特許文献２の第１図、特許文献３の第６図、特許文献４の図２、特許文献５の図３、特許文献６の第１図等に示されているような、該連結片にレンズをリベットやネジを用いて固定してなる簡易な取り付け構造のものも提供されている。
【０００７】
そして、リムにレンズを嵌着してなる前掛け式眼鏡や撥ね上げ式眼鏡にあってはもとより、かかる簡易タイプの前掛け式眼鏡や撥ね上げ式眼鏡にあっても、リベット止めやビス止めによってレンズが取付片に固定されることからして、レンズの交換は本来予定されていなかった。
【０００８】
ところで眼鏡は、ＴＰＯ（時、所、場所）に応じて適宜使い分けされる場合がある。例えば、釣りやゴルフ、ウインタースポーツ、ドライブ等のアウトドアでの活動の場合は、遮光用のサングラス、特に偏光レンズのサングラスが好適である。このような場合、目的地に着くまでは通常の眼鏡やサングラスを着用し、目的地では偏光レンズのサングラスを着用することが行われている。又、日常生活にあっては、おしゃれを楽しむために色違いのサングラスを使い分けることも行われている。
【０００９】
従来このように、ＴＰＯに応じて眼鏡を使い分けたい要求があったのであるが、これまでの眼鏡は、前記のようにレンズの交換が予定されていなかったため、複数本の眼鏡を取り揃えなければならない不経済があったのである。
【先行技術文献】
【特許文献】
【００１０】
【特許文献１】実開昭５８−９１７２１号公報
【特許文献２】特開昭５０−１２０６４１号公報
【特許文献３】特開２００３−２４１１４９号公報
【特許文献４】実用新案登録第３１１７５８０号公報
【特許文献５】実用新案登録第３１２５９０１号公報
【特許文献６】実開昭５８−１００３１５号公報
【発明の概要】
【発明が解決しようとする課題】
【００１１】
本発明は、前記従来の問題点に鑑みて開発されたものであり、レンズを複数種類揃えておけばその使い分けによって、使用目的に適合した眼鏡を簡易に然も経済的に構成可能とする眼鏡用のレンズ連結具の提供を課題とするものである。又、これを用いてなる、簡易な構成の、レンズ交換可能の眼鏡の提供を課題とするものである。更に、該眼鏡用のレンズ連結具を用いてなる、レンズ形態を容易且つ正確にカット加工し得るレンズ形成用基材の提供を課題とするものである。
【課題を解決するための手段】
【００１２】
前記課題を解決するため本発明は以下の手段を採用する。
即ち本発明に係る眼鏡用のレンズ連結具（以下、レンズ連結具という）は、レンズ連結部材の挿入片に連結される眼鏡用のレンズ連結具であって、全体がプラスチック製であり、レンズの表面に固定される連結具本体を具え、該連結具本体は、前記挿入片を着脱可能に挿入させる、底部が閉じた盲孔としての挿入孔が設けられると共に、該挿入孔の開口端のレンズ側の縁には、前記挿入片を該開口端に向けてガイドする底部ガイド片が突設されている。又、前記連結具本体の前記レンズの表面に固定される固定面部に、前記レンズに貫設された止着孔にその一端からその他端に向けて挿通される止着ピンが突設されており、該止着ピンが該止着孔に挿通された状態で、該他端で突出した突出部分が潰されることによって、該他端の周縁部分に係合する抜け止め突部が形成されるようになされていることを特徴とするものである。
【００１３】
前記レンズ連結具において、前記開口端の両側縁に側部ガイド片を突設するのがよい。
【００１４】
前記レンズ連結具において、前記開口端の両側縁に側部ガイド片を、前記底部ガイド片上で突設し、該両側部ガイド片の対向する内面は、前記開口端から開口端先側に向けて外方に傾斜するガイド面と、ガイド面間の間隔を、開口端先側に向けて拡大する如く構成するのがよい。
【００１５】
前記レンズ連結具において、前記挿入孔の内面に、係合凹部又は係合孔を設け、該係合突部と、前記固定面部とが嵌合状態に係合し得る如く構成するのがよい。
前記レンズ連結具において、前記固定面部と対向する係合面部に、前記挿入片が前記挿入孔に一杯に挿入された状態で、前記挿入片に設けられている係合突部と嵌合状態に係合し得る係合孔を設けるのがよい。
【００１６】
前記レンズ連結具において、前記底部ガイド片で前記止着ピンを突設するのがよい。
【００１７】
前記レンズ連結具において、前記固定面部の、レンズに対する固定面を、レンズの表面に当接し得る湾曲面に形成するのがよい。
【００１８】
前記レンズ連結具において、前記固定面部と対向する係合面部に、前記開口端で開放して前記挿入孔の底部に向けて延長する係合割溝を設け、該係合割溝に、前記挿入片に設けた係合突条部を嵌め入れ可能とし、該係合突条部の先端が該係合割溝の溝先端に当接した状態で、挿入孔に対する挿入片の所定の挿入状態が得られる如く構成するのがよい。
【００１９】
前記レンズ連結具において、前記係合割溝の溝側面に係合凹部を設け、前記係合突条部の先端が前記係合割溝の溝先端に当接した状態で、前記係合凹部に、前記係合突条部に設けた係合突部が嵌合状態に係合する如く構成するのがよい。
【００２０】
前記固定面部に突設された前記止着ピンは１本とし、該止着ピンの横断面を非円形に形成し、該止着ピンは、前記レンズに設けられてなる、該止着ピンの横断面形状に合致する非円形の止着孔に挿通される如くなし、このように挿通された状態で、該止着孔の他端で突出した突出部分が潰されることによって、該止着孔の他端の周縁部分に係合する抜け止め突部が形成される如く構成するのがよい。
【００２１】
本発明に係るレンズ交換可能の眼鏡（以下眼鏡という）は、水平方向で逆向きに突出する左右の挿入片が設けられてなるレンズ連結部材と、前記したレンズ連結具がレンズに固定されてなる連結具付きレンズとを具え、該眼鏡用のレンズ連結具は、レンズの表面の上の縁部分に、前記挿入孔をその孔心を水平状態にして固定されると共に、該挿入孔に前記挿入片が着脱可能に挿入されている。そして前記固定面部に突設された止着ピンが、前記上の縁部分に貫設された止着孔にその一端からその他端に向けて挿通され、該他端で突出した突出部分が潰されることによって、該他端の周縁部分に係合する抜け止め突部が形成されていることを特徴とするものである。
【００２２】
前記眼鏡において、下向きに突出する左右の挿入片が設けられてなるレンズ連結部材と、前記した眼鏡用のレンズ連結具がレンズに固定されてなる連結具付きレンズとを具え、該眼鏡用のレンズ連結具は、レンズの表面の内側（鼻に近い側）の縁部分に、前記挿入孔をその孔心を上下方向にして固定されると共に、該挿入孔に前記挿入片が着脱可能に挿入されており、前記固定面部に突設された止着ピンが、前記内側（鼻に近い側）の縁部分に貫設された止着孔にその一端からその他端に向けて挿通され、該他端で突出した突出部分が潰されることによって、該他端の周縁部分に係合する抜け止め突部が形成される如く構成するのがよい。
【００２３】
本発明に係るレンズ形成基材は、カット加工によって所要形態のレンズを形成できるプラスチック製のレンズ形成板に、前記した眼鏡用のレンズ連結具が固定されていることを特徴とするものである。
【発明の効果】
【００２４】
本発明は、以下の如き優れた効果を奏する。
(1) 本発明に係るレンズ連結具は、全体がプラスチック製であり止着ピンを具えるため、該止着ピンを、レンズに設けた止着孔に挿通させ、突出した部分を潰すことにより、容易且つ確実にレンズに固定できる。
そして該レンズ連結具は、レンズ連結部材の挿入片を着脱可能に挿入させ得る挿入孔を有するため、レンズ交換を可能とする。かかることから、使用目的に適した眼鏡を経済的に構成可能とする。
又、該レンズ連結具は底部ガイド片が突設されてなるため、該底部ガイド片のガイド作用によって、前記挿入片を、レンズを傷つけることなく挿入孔に無理なく挿入させることができる。
【００２５】
(2) 又、本発明に係る眼鏡は、前記レンズ連結具が止着ピンを介してレンズに固定されてなる連結具付きレンズを具えるため、該連結具付きレンズをレンズ連結部材の挿入片に着脱可能に取り付けることにより、レンズ交換が可能な前掛け式環境（撥ね上げ式のもの及び撥ね上げ式でないもの）、撥ね上げ式眼鏡を簡易に構成できることとなる。
かかることから本発明によるときは、使用目的に適合した眼鏡を、レンズ連結部材をそのまま使用しつつ、レンズを交換するだけで容易に構成でき、何本もの眼鏡を取り揃える場合に比し経済的である。
【００２６】
(3) 本発明に係るレンズ形成基材は、カット加工によって所要形態のレンズを形成できるプラスチック製のレンズ形成板に前記レンズ連結具が固定されてなる。従って該レンズ形成基材によるときは、該レンズ形成板をレンズ連結具を介してレンズ連結部材の挿入片に連結した状態で該レンズ形成板に所要のレンズ輪郭線を付した後、該レンズ形成基材を該挿入片から取り外すことにより、エンドユーザーであっても、該レンズ形成板を所望のレンズ形態に容易且つ正確にカットでき、個性的な眼鏡を構成できることとなる。
【００２７】
(4) 前記挿入孔の内面で、係合凹部又は係合孔を設ける一方、前記挿入片に、該係合凹部又は係合孔と係合し得る係合突部を設けるときは、両者の係合によって、前記挿入片が前記挿入孔に一杯に挿入されたことを確認できると共に、該挿入片の確実な抜け止めが図られることとなる。
【００２８】
(5) 前記開口端の両側縁に側部ガイド片を突設するときは、前記挿入片の先端部分を、該両側部ガイド片のガイド作用によって、横ずれを生じさせることなく、前記挿入孔の開口端に向けてより円滑にガイドすることができる。この場合、該両側部ガイド片の対向する内面を、該開口端から開口端先側に向けて外方に傾斜するガイド面とし、両ガイド面間の間隔を、開口端先側に向けて拡大させるときは、両側部ガイド片の先端間をより大きく拡張できる。かかることから、挿入片の先端部分を該拡張された先端間に挿入させることができ、該挿入片をより円滑にガイドできることとなる。
【００２９】
(6) 前記底部ガイド片で前記止着ピンを突設するときは、該底部ガイド片を、より安定的な固定状態でレンズ表面に固定できることになる。
【００３０】
(7) 前記固定面部の、レンズに対する固定面を、レンズの表面に面接触し得る湾曲面に形成するときは、レンズに対するレンズ連結具の固定状態の安定性向上を期し得る。
【図面の簡単な説明】
【００３１】
【図１】本発明に係るレンズ連結具を示す分解斜視図である。
【図２】レンズ連結具を示す斜視図である。
【図３】その断面図である。
【図４】レンズ連結具をレンズに固定する工程を説明する断面図である。
【図５】連結具付きレンズをレンズ連結部材に取り付ける工程を示す斜視図である。
【図６】レンズに固定されたレンズ連結具の挿入孔にレンズ連結部材の挿入片を挿入する工程を説明する断面図である。
【図７】レンズ連結部材の左右の挿入片にレンズを連結してなる撥ね上げ式の前掛け式眼鏡を示す正面図である。
【図８】前掛け式眼鏡を本体眼鏡に装着した状態を、補助レンズを下ろした状態で示す側面図である。
【図９】その補助レンズを撥ね上げた状態を示す側面図である。
【図１０】レンズ連結部材を示す斜視図である。
【図１１】連結具付きレンズをレンズ連結部材の挿入片に取り付けた状態を示す斜視図である。
【図１２】左右の補助レンズ部を一連に連ねてなるレンズをレンズ連結部材に取り付けた前掛け式眼鏡を示す正面図である。
【図１３】そのレンズ連結部材を示す正面図である。
【図１４】そのレンズを示す正面図である。
【図１５】そのレンズにレンズ連結具を固定する工程を説明する断面図である。
【図１６】そのレンズにレンズ連結具を固定した状態を示す断面図である。
【図１７】左右の補助レンズ部が一連に連なってなるレンズをレンズ連結部材に取り付ける工程を説明する正面図である。
【図１８】連結具付きレンズをレンズ連結部材に取り付けた撥ね上げ式眼鏡を示す正面図である。
【図１９】その平面図である。
【図２０】その撥ね上げ式眼鏡を構成する連結具付きレンズを形成する工程を説明する分解斜視図である。
【図２１】連結具付きレンズをレンズ連結部材に連結した状態を示す斜視図である。
【図２２】撥ね上げ式眼鏡を示す側面図である。
【図２３】左右のレンズが一連に連なってなるレンズを用いた連結具付きレンズをレンズ連結部材に取り付けた撥ね上げ式眼鏡の他の実施例を示す正面図である。
【図２４】その撥ね上げ式眼鏡に用いるレンズ連結部材を示す正面図である。
【図２５】その連結具付きレンズを連結部材の挿入片に連結した状態を示す断面図である。
【図２６】レンズ形成基材を示す斜視図である。
【図２７】レンズ形成板とレンズ連結具とを示す斜視図である。
【図２８】そのレンズ連結具をレンズに固定してなる連結具付きレンズを連結部材の挿入片に連結した状態を示す断面図である。
【図２９】レンズ形成板をカットして形成された連結具付きレンズを示す斜視図である。
【図３０】その連結具付きレンズをレンズ連結部材の挿入片に連結した状態を示す斜視図である。
【図３１】レンズ連結具のその他の実施例を示す斜視図と、レンズに対するその固定状態を挿入片の挿入要領と共に示す断面図である。
【図３２】レンズ連結具のその他の実施例を挿入片と共に示す斜視図である。
【図３３】レンズ連結具のその他の実施例を挿入片と共に示す斜視図である。
【図３４】挿入片と挿入孔との係合状態の他の態様を示す断面図である。
【図３５】係合片と挿入孔との係合状態のその他の態様を示す断面図である。
【図３６】係合片と挿入孔との係合状態のその他の態様を示す断面図である。
【図３７】レンズ連結具を止着ピンを用いてレンズに固定した他の態様を示す断面図である。
【図３８】レンズ連結具を止着ピンを用いてレンズに固定したその他の態様を示す断面図である。
【図３９】１本の止着ピンが突設されてなるレンズ連結具をレンズに固定する工程を説明する斜視図と断面図である。
【図４０】底部ガイド片に止着ピンが突設されてなるレンズ連結具をレンズに固定した状態を示す断面図である。
【図４１】先細に形成された挿入片を、先細に形成された挿入孔に挿入することにより、連結具付きレンズをレンズ連結部材に連結する工程を説明する断面図である。
【図４２】先細に形成された挿入片を、先細に形成された挿入孔に挿入することにより、連結具付きレンズをレンズ連結部材に連結した他の態様を示す断面図である。
【図４３】レンズに対するレンズ連結部材のその他の固定状態を示す断面図である。
【図４４】レンズの内側の縁部分にレンズ連結具を固定してなる連結具付きレンズをレンズ連結部材の挿入片に連結して構成された前掛け式眼鏡を示す正面図と断面図である。
【発明を実施するための形態】
【実施例１】
【００３２】
図１〜３において本発明に係るレンズ連結具１は、レンズ連結部材２の挿入片３に連結されるものであって、全体がプラスチック製であり、レンズ５に固定される連結具本体６を具えている。該挿入片３は、例えば長方形板状を呈しており、その一面７の中央部位に球面状の係合突部９が突設されている。
【００３３】
該レンズ連結具１は、ポリアセタールやナイロン、ポリカーボネート、ＡＢＳ樹脂等のプラスチックを用いて形成できる。
【００３４】
該レンズ連結具１は、図１〜４に示すように、該挿入片３を着脱可能に挿入させることのできる、底部１７が閉じた盲孔としての挿入孔１０が設けられると共に、前記レンズ５の表面８（例えば後面１１）に面する前面部１２ａとしての固定面部１２で、レンズ５に固定される。そして、該挿入孔１０の開口端１３のレンズ側の縁１５には底部ガイド片１６が突設されている。
【００３５】
該連結具本体６を図１〜４について具体的に説明すれば、前記挿入片３の挿入方向に比較的長い偏平な直方体箱状を呈しており、該挿入片３を着脱可能に挿入させるための、底部１７（図３（Ｂ））が閉じ且つ一端が開口した盲孔としての前記挿入孔１０が、該連結具本体６の軸線方向に長く形成されている。該挿入孔１０は、その横断面形態が長方形状を呈している。
【００３６】
そして、前記開口端１３のレンズ側の縁１５には、前記挿入片３の先端部分２０（図４（Ｃ））を前記開口端１３に向けてガイドする前記底部ガイド片１６が一連状態で突設されており、前記固定面部１２の、レンズ側の固定面２１及び、該固定面２１と対向する挿入面２２は、共に、段差のない一連の平坦面に形成されている。該連結具本体６は該固定面２１で、前記レンズ５の表面８（後面１１又は前面２３）に固定される。図１、図４（Ｃ）においては、レンズ５の後面１１に固定された状態が示されている。
【００３７】
本実施例においては、図２、図３（Ｂ）に示すように、前記開口端１３の対向側縁２５，２５に側部ガイド片２６，２６が、前記底部ガイド片１６上で突設されている。該両側部ガイド片２６，２６の内面は、図３（Ｂ）に示すように、該開口端１３から開口端先側に向けて外方に傾斜するガイド面２７，２７とされ、両ガイド面２７，２７間の間隔は、開口端先側に向けて拡大している。
【００３８】
又、前記連結具本体６の前記固定面２１の長さ方向の両側に位置させて、前記レンズ５に小間隔を置いて設けた２個の止着孔２９，２９（図１、図４（Ａ））にその一端３０からその他端３１に向けて挿通される２本の止着ピン３２，３２が突設されている。本実施例においては、前記開口端１３側の止着ピン３２ａが、前記底部ガイド片１６に一部が存する状態で前記固定面２１に突設されているため、図４（Ｃ）に示すように、該底部ガイド片１６をレンズ５に安定的な固定状態となし得る。
【００３９】
該止着ピン３２，３２は、図４（Ｂ）に示すように、前記止着孔２９，２９にその一端３０から挿通された状態で、該止着孔２９の他端３１で突出した突出部分３３が潰される。該突出部分３３が加熱されて潰されるか、加熱されることなく、プラスチックの変形性を利用して機械的に潰されるかは問わない。このように潰されることにより、図５（Ｃ）に示すように、該他端３１の周縁部分３５に係合する抜け止め突部３６が形成される如くなされている。かかるかしめによって、図４（Ｃ）、図５（Ａ）に示すように、レンズ連結具１が、回り止めされて確実にレンズ５に固定されることになる。
【００４０】
又、図２（Ａ）、図６（Ｃ）に示すように、該連結具本体６の前記固定面部１２と対向する、後面部（顔面側の面部）３７ａとしての係合面部３７に、前記挿入片３が前記挿入孔１０に一杯に挿入された状態で前記係合突部９と嵌合状態で係合し得る係合孔３９が設けられている。該係合孔３９は、本実施例においては、該係合面部３７の長さ方向の中央部位に設けられている。
【００４１】
かかる構成を有するレンズ連結具１の主要部の寸法を例示すれば、図３（Ａ）（Ｂ）に示すように、前記連結具本体６の軸線方向の長さＬ１は９ｍｍに、その幅Ｌ２は３ｍｍに、厚さＬ３は１．８ｍｍに設定されると共に、前記挿入孔１０の長さＬ４は７ｍｍに設定され、その孔幅Ｌ５は、前記挿入片３の幅に略等しく設定されている。又、前記係合孔３９の径Ｌ６は２ｍｍに設定され、前記底部ガイド片１６の前記開口端１３からの突出長さＬ７は１．５ｍｍに設定され、前記側部ガイド片２６，２６の前記開口端１３からの突出長さＬ８は０．９ｍｍに設定されている。又前記止着ピン３２の径Ｌ９は１．２５ｍｍ、該止着ピン３２の突出長さＬ１０は、異なるレンズ厚さに対応できるように比較的長く設定され、例えば２．６ｍｍに設定されている。又、両止着ピン３２，３２の中心間距離は６ｍｍに設定されている。
【００４２】
然して、前記挿入片３の先端部分２０を、図４（Ｃ）、図６（Ａ）に示すように、前記底部ガイド片１６と前記両側部ガイド片２６，２６が形成するガイド溝部４１（図２）に挿入すると、該先端部分２０は、前記挿入孔１０の開口端１３に向けて円滑にガイドされる。このようにガイドされた状態で、前記挿入片３を前記挿入孔１０に向けて押し込むと、前記挿入面２２が、段差のない一連の平坦面に形成されているため、該挿入片３は図５（Ｂ）に示すように、レンズ５の表面８（レンズの後面１１）を損傷することなく該挿入孔１０に無理なく挿入されることになる。この挿入に伴い、前記係合面部３７は前記係合突部９に押圧されて弾性変形し、最終的に図６（Ｃ）に示すように、該係合突部９が前記係合孔３９に嵌まり合うことによって図５（Ｂ）に示す連結具付きレンズ４６が構成される。
【００４３】
そして、前記挿入孔１０は、図３（Ｂ）に示すように、底部１７が閉じ且つ一端が開口した盲孔として構成されており、貫通孔ではない。もしも貫通孔として形成した場合は、挿入片３の先端部分が該貫通孔の端部から突出状態になる場合が生じ、レンズ連結部材２に対するレンズの取り付け位置を正確に定め難い場合が生じるが、盲孔としての挿入孔１０であるため、このような問題を発生させず、挿入片３を、図５（Ｃ）に示すように挿入孔１０に一杯に挿入させれば、自ずから、レンズ連結部材２に対するレンズ５の取り付け位置を正確に定めることができる。併せて、突出した部分がレンズを損傷させたり該突出した部分で怪我をする恐れも回避できる。
【００４４】
なお該レンズ連結具１は、レンズ５に固定された状態で目立ちにくくするために、該レンズ５と同系色に着色されたものを用いるのがよい。例えば、ブラウンやグレーに着色する。
【実施例２】
【００４５】
図７〜９、図１２、図１８、図２３は、かかる構成を有するレンズ連結具１を用いて構成されたレンズ交換可能の眼鏡（以下眼鏡という）４２の一実施例を示すものであり、以下、第１眼鏡４２ａ、第２眼鏡４２ｂ、第３眼鏡４２ｃ、第４眼鏡４２ｄと区別する。
【００４６】
〔第１眼鏡の構成〕
図７〜９に示す第１眼鏡４２ａは、本体眼鏡４３に着脱可能に装着される撥ね上げ式の前掛け式眼鏡であり、図７、図１０〜１１に示すように、水平方向で逆向きに突出する左右の挿入片３，３が設けられてなるレンズ連結部材２と、前記レンズ連結具１が補助レンズ５ａの後面１１の上の縁部分４５に固定されてなる連結具付きレンズ４６とを具えるものである。該補助レンズ５ａは、例えば、プラスチック製の遮光性の偏光レンズとして形成されている。
【００４７】
該レンズ連結部材２は、本実施例においては金属製のものであり、図７、図１０に示すように、水平方向に延長するパイプ状支持軸４７に回動軸４９が挿通せしめられ、該回動軸４９は、その軸線回りに正逆方向に回動でき、該回動軸４９の両端部分５０，５０は該パイプ状支持軸４７の両端４８，４８から突出しており、その両先側部分は、上下方向に所要幅を有して左右方向に長い長方形板状を呈する挿入片３，３として形成されている。そして図１に示すように、該挿入片３の内面（顔面側の面）７ａの中央部位には球面状の係合突部９が突設されている。又、該パイプ状支持軸４７の両端部分５１，５１には、本体眼鏡４３の左右の本体レンズ５２，５２の内縁部分に沿わせて設けられた弾性湾曲係合片５５，５５が設けられている。
【００４８】
又、前記連結具付きレンズ４６を構成するに際しては、先ず図１に示すように、前記補助レンズ５ａ，５ａの上の縁部分４５，４５に、前記２本の止着ピン３２，３２の配置に合わせて左右２個の止着孔２９，２９を貫設しておく。そして、前記レンズ連結具１を前記補助レンズ５ａの後面１１の上の縁部分４５に固定するに際しては、図４（Ｂ）に示すように、前記挿入孔１０の孔心を水平状態にして、前記止着ピン３２，３２を前記止着孔２９，２９にその一端３０からその他端３１に向けて挿通させる。該止着ピン３２，３２が、図４（Ｂ）に示すように該止着孔２９，２９に挿通された状態で、図５（Ｃ）に示すように、該他端３１で突出した突出部分３３，３３を潰す。該突出部分３３，３３を加熱して潰してもよく、加熱することなく潰してもよい。このように潰すことによって、該他端３１の周縁部分３５に係合する抜け止め突部３６を形成する。かかるかしめによって、図６（Ｃ）、図１１に示すように、補助レンズ５ａの後面１１の上の縁部分４５にレンズ連結具１が固定された連結具付きレンズ４６が構成されることとなる。
【００４９】
然して、かかる構成を有する一対の連結具付きレンズ４６、４６を前記レンズ連結部材２の左右の挿入片３，３に取り付けるに際しては、該挿入片３の先端部分２０を、図４（Ｃ）に示すように、前記底部ガイド片１６と前記両側部ガイド片２６，２６が形成するガイド溝部４１（図２、図６（Ａ））に挿入すると、該先端部分２０が、前記挿入孔１０の開口端１３に向けて円滑にガイドされることとなる。このようにガイドされた状態で、図６（Ｂ）に示すように、該挿入片３を前記挿入孔１０に向けて押し込むと、前記挿入面２２が、段差のない一連の平坦面に形成されているため、該挿入片３は図６（Ｂ）（Ｃ）に示すように、該挿入孔１０に無理なく挿入されることになる。この挿入に伴い、前記係合面部３７は前記係合突部９に押圧されて弾性変形し、最終的に、該係合突部９が前記係合孔３９に嵌まり合う。このように嵌まり合った状態は、図６（Ｃ）においては、該挿入片３が該挿入孔１０に一杯に挿入された状態である。
【００５０】
このように嵌まり合うことによって、該挿入片３が該挿入孔１０に一杯に挿入されたことを確認できると共に、該係合突部９と該係合孔３９との係合によって、挿入片３の確実な抜け止めが図られることとなり、左右の補助レンズ５ａ，５ａが前記レンズ連結部材２に取り付けられてなる、図７に示す撥ね上げ式の前掛け式眼鏡４２ａが構成される。
【００５１】
図８は、前記弾性湾曲係合片５５，５５を、本体眼鏡４３の左右の本体レンズ５２，５２の内縁部分５４に係合させることによって、該撥ね上げ式の前掛け式眼鏡４２ａを該本体眼鏡４３に取り付けた状態を示すものである。図８は、前記左右の補助レンズ５ａ，５ａが下方向に回動して下ろされた状態を示している。この下ろされた状態は、バネ作用を伴う係合作用によって安定的に保持されるようなされている。この状態で、該左右の補助レンズ５ａ，５ａが前記本体眼鏡４３の左右の本体レンズ５２，５２を前面側で覆う状態となる。例えば、釣りやゴルフ、ウインタースポーツ、ドライブ等のアウトドアでの活動の場合は、このように補助レンズ５ａ，５ａを下ろした状態とすることによって、偏光レンズのサングラスを構成できることとなる。又図９は、前記左右の補助レンズ５ａ，５ａが撥ね上げられた状態を示している。この撥ね上げた状態は、バネ作用を伴う係合作用によって安定的に保持されるようなされている。例えば、サングラスを必要としない室内に居るときや、自動車の運転中にトンネルに入ったとき等には、このように撥ね上げることによって、本体眼鏡４３で視界を確保して見ることができ、走行の安全性等を確保できることとなる。
【００５２】
又、前記挿入孔１０に前記挿入片３を着脱可能に挿入させ得ることから、前記連結具付きレンズ４６，４６を前記レンズ連結部材２に着脱できる。かかることから、前記レンズ連結部材２をそのまま使用しつつ、機能の異なるレンズを用いた連結具付きレンズ４６を所要に選択してこれをレンズ連結部材２に取り付けることにより、使用目的に合致した眼鏡を構成できることとなる。例えば、淡色の通常の遮光性レンズを用いた第１の連結具付きレンズと、濃色の偏光遮光性レンズを用いた第２の連結具付きレンズの２種類を用意することにより、釣りやゴルフ、ウインタースポーツ、ドライブ等のアウトドアでの活動に際し、目的地に着くまでは、該第１の連結具付きレンズを前記レンズ連結部材２に取り付けることによって構成したサングラスを着用しておしゃれを楽しむことができる。そして目的地に到着した後は、該第１の連結具付きレンズを前記レンズ連結部材２から取り外し、代わりに前記第２の連結具付きレンズを前記レンズ連結部材２に取り付けることによって、偏光レンズのサングラスを構成し、これを着用して活動できる。又、日常生活にあっては、淡色の色違いの遮光性レンズを使い分けることによっておしゃれを楽しむことができる。又、レンズが傷ついた場合にはその交換も容易である。
【００５３】
〔第２眼鏡の構成〕
図１２に示す第２眼鏡４２ｂは、本体眼鏡４３に着脱可能に装着される撥ね上げ式の前掛け式眼鏡の他の実施例に係るものであり、下向きに突出する（本実施例においては斜め下向きに突出する）左右の挿入片３，３が設けられてなるレンズ連結部材２と、前記レンズ連結具１が補助レンズ５ａの後面１１の内側（鼻に近い側）の縁部分５７に、前記挿入孔１０をその孔心を上下方向にして（本実施例においては斜めの上下方向にして）固定されてなる連結具付きレンズ４６とを具えるものである。該補助レンズ５ａは、本実施例においては、左右の補助レンズ部５ａ１，５ａ１が連結部３８で一連に連結された一枚ものレンズであり、例えばプラスチック製の偏光レンズとして構成されている。
【００５４】
前記レンズ連結部材２は、本実施例においては金属製のものであり、図１３に示すように、水平方向に延長するパイプ状支持軸４７に回動軸４９が挿通せしめられ、該回動軸４９は、その軸線回りに正逆方向に回動でき、該回動軸４９の両端部分５０，５０は、該パイプ状支持軸４７の両端４８，４８から突出して下方に延長して弾性変形できる左右のアーム５９，５９と、該左右のアーム５９，５９の下端に接続されて斜め下方に延長する、細長の長方形板状を呈する挿入片３，３とから構成されている。そして、該挿入片３の内面（顔面側の面）７ａの中央部位には球面状の係合突部９が突設されている。又、該パイプ状支持軸４７の両端部分５１，５１には、図１２に示すように、本体眼鏡の左右の本体レンズの内縁部分に沿わせて設けられた弾性湾曲係合片５５，５５が設けられている。
【００５５】
又、前記連結具付きレンズ４６を構成するに際しては、先ず図１４に示すように、前記補助レンズ部５ａ１，５ａ１の内側の縁部分５７、５７に、前記２本の止着ピン３２，３２の配置に合わせて上下２個の止着孔２９，２９を貫設しておく。そして、前記レンズ連結具１を前記補助レンズ部５ａ１の後面１１の内側の縁部分５７に固定するに際しては、図１５に示すように、前記挿入孔１０の孔心を斜めの上下方向にして、前記止着ピン３２，３２を前記止着孔２９，２９にその一端３０からその他端３１に向けて挿通させる。該止着ピン３２，３２が該止着孔２９，２９に挿通された状態で、図１６に示すように、該他端３１で突出した突出部分３３，３３を潰す。該突出部分を加熱して潰してもよく、加熱することなく機械的に潰してもよい。このように潰すことによって、該他端３１の周縁部分３５に係合する抜け止め突部３６を形成する。かかるかしめによって、図１７に示すように、補助レンズ部５ａ１，５ａ１の後面１１の内側の縁部分５７にレンズ連結具１が固定された連結具付きレンズ４６が構成されることとなる。
【００５６】
然して、かかる構成を有する連結具付きレンズ４６を前記レンズ連結部材２の左右の挿入片３，３に取り付けるに際しては、該挿入片３の先端部分２０を、図４（Ｃ）に示すように、前記底部ガイド片１６と前記両側部ガイド片２６，２６が形成するガイド溝部４１（図２、図６）に挿入すると、該先端部分２０が、前記挿入孔１０の開口端１３に向けてガイドされることとなる。このようにガイドされた状態で、図６（Ｂ）に示すように、該挿入片３を前記挿入孔１０に向けて押し込むと、前記挿入面２２が、段差のない一連の平坦面に形成されているため、該挿入片３は図６（Ｂ）（Ｃ）、図１７に示すように、前記アーム５９，５９の所要の弾性変形を伴いながら、該ガイド溝部４１に円滑に案内されて該挿入孔１０に無理なく挿入されることになる。この挿入に伴い、前記係合面部３７は前記係合突部９に押圧されて弾性変形し、最終的に、該係合突部９が前記係合孔３９に嵌まり合う。このように嵌まり合った状態は、図１６においては、該挿入片３が該挿入孔１０に一杯に挿入された状態である。
【００５７】
このように嵌まり合うことによって、該挿入片３が該挿入孔１０に一杯に挿入されたことを確認できると共に、該係合突部９と該係合孔３９との係合によって、挿入片３の確実な抜け止めが図られることとなり、左右の補助レンズ５ａが前記レンズ連結部材２に取り付けられてなる、図１２に示す撥ね上げ式の前掛け式眼鏡４２ｂが構成される。
【００５８】
かかる構成を有する前掛け式眼鏡４２ｂは、図８〜９に示すと同様にして、本体眼鏡４３の左右の本体レンズ５２の内縁部分５４に前記弾性湾曲係合片５５，５５を係合させることにより、該本体眼鏡４３に取り付けられ、該補助レンズ５ａが下方向に回動して下ろされた状態と該補助レンズ５ａが撥ね上げられた状態が得られる。
【００５９】
又、前記と同様にして、機能の異なるレンズを用いた連結具付きレンズ４６を所要に選択してこれを前記レンズ連結部材２に取り付けることにより、前記第１眼鏡４２ａに関して説明したと同様にして、使用目的に合致した眼鏡を構成できることとなる。
【００６０】
〔第３眼鏡の構成〕
図１８〜１９に示す第３眼鏡４２ｃは、例えばサングラスとして形成された撥ね上げ式眼鏡であり、該撥ね上げ式眼鏡４２ｃが下方向に回動して下ろされた状態においてはサングラスを掛けた状態が得られると共に、該撥ね上げ式眼鏡４２ｃを撥ね上げた状態においては、眼鏡を掛けていない状態（裸眼で見る状態）が得られることになる。
【００６１】
該撥ね上げ式眼鏡４２ｃをより具体的に説明すれば、水平方向で逆向きに突出する左右の挿入片３，３が設けられてなるレンズ連結部材２と、前記レンズ連結具１が遮光性のレンズ５の後面１１の上の縁部分４５に固定されてなる連結具付きレンズ４６とを具えている。
【００６２】
そして該レンズ連結部材２は、本実施例においては金属製のものであり、図１８、図２０に示すように、水平方向に延長するパイプ状支持軸４７に回動軸４９が挿通せしめられ、該回動軸４９は、その軸線回りに正逆方向に回動でき、該回動軸４９の両端部分５０，５０は該パイプ状支持軸４７から突出しており、その両先側部分は、上下方向に所要幅を有して左右方向に長い長方形板状を呈する挿入片３，３として形成されている。そして該挿入片３の内面（顔面側の面）７ａの中央部位には球面状の係合突部９が突設されている。
【００６３】
又、図１９に示すように、該パイプ状支持軸４７の中央部の両側に、左右の上弦部６０，６０の内端６１，６１がロウ付けによって固着されており、図１に示すように、該内端６１，６１に、鼻当てパッド６２，６２を下端に有するパッドアーム６３，６３が一連に屈曲形成されている。又、左右の上弦部６０，６０の外端６５，６５には、図１９に示すように、テンプル連結片６６，６６が後方向に屈曲形成されており、該テンプル連結片６６，６６に、テンプル６７，６７が開閉可能に取り付けられている。
【００６４】
前記連結具付きレンズ４６は、図２０〜２１に示すように、前記第１眼鏡４２ａにおけると同様に構成されており、前記レンズ（例えばプラスチック製のもの）５，５の後面１１の上の縁部分４５に、前記レンズ連結具１が、前記と同様にして止着ピン３２，３２の突出部分３３，３３を潰してかしめることにより固定されてなる。
【００６５】
そして、前記挿入片３を前記挿入孔１０に押し込んで、前記係合突部９が前記係合孔３９に嵌まり合った状態とすることにより、左右のレンズ５，５が前記レンズ連結部材２に取り付けられてなる、図１８〜１９に示す撥ね上げ式眼鏡４２ｃを構成できる。
【００６６】
図２２は、前記左右のレンズ５，５が下方向に回動して下ろされた状態を示している。この下ろされた状態は、バネ作用を伴う係合作用によって安定的に保持されるようなされており、この状態でサングラスが構成される。又、前記左右のレンズ５，５は、図２２に一点鎖線で示すように撥ね上げることができる。この撥ね上げた状態は、バネ作用を伴う係合作用によって安定的に保持されるようなされている。例えば、サングラスを必要としない室内に居るときや、自動車の運転中にトンネルに入ったとき等にはこのように撥ね上げることによって裸眼で見ることができ、走行の安全性等を確保できることとなる。
【００６７】
又、前記挿入孔１０に前記挿入片３を着脱可能に挿入させ得ることから、前記連結具付きレンズ４６，４６を前記レンズ連結部材２に着脱できる。かかることから、機能の異なるレンズを用いた連結具付きレンズ４６を所要に選択してこれをレンズ連結部材２に取り付けることにより、前記第１眼鏡４２ａに関して説明したと同様にして、使用目的に合致した眼鏡を構成できることとなる。
【００６８】
〔第４眼鏡の構成〕
図２３に示す第４眼鏡４２ｄは、例えば、一般のサングラスとして形成された撥ね上げ式眼鏡の他の実施例に係るものであり、下向きに突出する（本実施例においては斜め下向きに突出する）左右の挿入片３，３が設けられてなるレンズ連結部材２と、前記レンズ連結具１が遮光性のレンズ５，５の後面１１，１１の内側（鼻に近い側）の縁部分５７，５７に、前記挿入孔１０をその孔心を上下方向にして（本実施例においては斜めの上下方向にして）固定されてなる連結具付きレンズ４６とを具えている。該レンズ５は、実施例においては図２３に示すように、左右のレンズ部５ａ２，５ａ２が連結部５８で一体に連結された一枚ものレンズであり、例えば、プラスチック等の遮光レンズとして構成されている。
【００６９】
前記レンズ連結部材２は、本実施例においては金属製のものであり、図２４に示すように、水平方向に延長するパイプ状支持軸４７に回動軸４９が挿通せしめられ、該回動軸４９は、その軸線回りに正逆方向に回動でき、該回動軸４９の両端部分５０，５０は、該パイプ状支持軸４７の両端４８，４８から突出して下方に延長して弾性変形できる左右のアーム５９，５９と、該左右のアーム５９，５９の下端に接続されて斜め下方に延長する、細長の長方形板状を呈する挿入片３，３とから構成されている。そして、該挿入片３の内面（顔面側の面）７ａの中央部位には球面状の係合突部９が突設されている。又、該パイプ状支持軸４７の両端部分５１，５１には、左右の上弦部６０，６０の内端６１，６１がロウ付けによって固着されており、該内端６１，６１に、図１８に示すと同様にして、鼻当てパッド６２，６２を下端に有するパッドアーム６３，６３が一連に屈曲形成されている。又、図１９に示すと同様にして、左右の上弦部６０，６０の外端６５，６５には、テンプル連結片６６，６６が後方向に屈曲形成されており、該テンプル連結片６６，６６に、テンプル６７，６７が開閉可能に取り付けられている。
【００７０】
前記連結具付きレンズ４６は、前記第２眼鏡４２ｂにおけると同様に構成されており、図２５に示すように、前記遮光性のレンズ（例えばプラスチック製のもの）５，５の後面１１の内側の縁部分５７に前記レンズ連結具１が、止着ピン３２，３２の突出部分を潰してかしめることにより固定されてなる。
【００７１】
そして、図２５に示すように、前記挿入片３を前記挿入孔１０に押し込んで、前記係合突部９が前記係合孔３９に嵌まり合った状態とすることにより、左右の遮光性のレンズ５，５が前記レンズ連結部材２に取り付けられてなる、図２３に示す撥ね上げ式眼鏡４２ｄを構成できる。
【００７２】
かかる構成を有する撥ね上げ式眼鏡４２ｄは図２２に示すと同様にして、下方向に回動して下ろされた状態でサングラスが構成される。そして撥ね上げられることによって、裸眼で見ることができる。
【００７３】
又、前記と同様にして、機能の異なるレンズを用いた連結具付きレンズ４６を所要に選択してこれを前記レンズ連結部材２に取り付けることにより、前記第１眼鏡４２ａに関して説明したと同様にして、使用目的に合致した眼鏡を構成できることとなる。
【実施例３】
【００７４】
図２６〜２７は、本発明に係るレンズ形成基材６９の一実施例を示すものであり、カット加工によって所要形態のレンズを形成できるプラスチック製のレンズ形成板７０に前記レンズ連結具１が固定されてなるものである。
【００７５】
該レンズ形成板７０は、レンズカーブが設けられてなる例えば矩形板状に形成されており、その後面の一側縁部分（カットして形成されたレンズの後面の上の縁部分となる部分）７１に、前記レンズ連結具１が、その挿入孔１０（図２７）の孔心を該一側縁部分７１に沿わせて固定されている。
【００７６】
この固定は、図２７〜２８に示すように、該一側縁部分７１に所要間隔を置いて貫設された２個の止着孔２９，２９に、前記２本の止着ピン３２，３２を、該止着孔２９，２９にその一端３０からその他端３１に向けて挿通させる。該止着ピン３２，３２が該止着孔２９，２９に挿通された状態で、該他端３１で突出した突出部分を潰す。該突出部分を加熱して潰してもよく、加熱することなく潰してもよい。このように潰すことによって、該他端３１の周縁部分３５に係合する抜け止め突部７２を形成する。かかるかしめによって、図２６に示すレンズ形成基材６９が構成される。
【００７７】
然して、かかる構成を有するレンズ形成基材６９を用いて、レンズ連結具１が固定されてなる連結具付きレンズ４６を形成するに際しては、先ず、図２６、図２８に示すように、前記レンズ連結部材２の前記挿入片３を該レンズ連結具１の挿入孔１０に挿入させ、前記係合突部９と前記係合孔３９とを嵌合して係合させた状態で、該レンズ形成板７０の表面７３に、所望のレンズ形態をカット加工できるように、例えば図２６に一点鎖線で示す如く、所要のレンズ輪郭線７５を付す。このレンズ輪郭線７５は、前記本体眼鏡４３の前記本体レンズ５２の形状との関係を考慮して所要に設定する。
【００７８】
このようにレンズ輪郭線７５を付した後、該レンズ形成基材６９を前記レンズ連結部材２から取り外し、この状態で、該レンズ輪郭線７５に沿って鋏等でカットし、カットされた部分を磨く。例えば、図２９に示すような一部が欠けた楕円形や、ハート形や菱形等、好みのレンズ形態にカットし、所要形態の連結具付きレンズ４６を形成する。かかるカット作業は、前記レンズ形成板７０をレンズ連結部材２と分離して行うことができるため、カット作業を容易且つ正確に行なうことができる。もしも従来のように、レンズ形成板７０をレンズ連結部材２にリベット状に止着するときは、レンズ形成板７０をレンズ連結部材２に固定したままの状態でカット加工を行なわざるを得ないが、これでは、カット加工に制約が伴い、カットを容易且つ正確に行ない難い問題が生ずることとなる。
【００７９】
図３０は、このようにして形成された連結具付きレンズ４６をレンズ連結部材２に連結した状態を示すものであり、個性的な眼鏡を構成できることになる。
【００８０】
又、例えば前記第３の眼鏡４２ｃを構成する連結具付きレンズ４６や、前記第４の眼鏡４２ｄを構成する連結具付きレンズ４６を形成する際は、該レンズ形成基材６９を前記レンズ連結部材２の挿入片３に固定した状態で、目との位置関係や顔の大きさ等の関係を考慮して、レンズ輪郭線７５を所要に設定する。このように設定したレンズ輪郭線７５に沿ってカット加工することにより所望形態のレンズを形成でき、かかるレンズを具える連結具付きレンズ４６を前記レンズ連結部材２に固定することにより、個性的な眼鏡を構成できることになる。
【実施例４】
【００８１】
本発明は、前記実施例で示したものに限定されるものでは決してなく、「特許請求の範囲」の記載内で種々の設計変更が可能であることはいうまでもない。その一例を挙げれば次のようである。
【００８２】
(1) 図３１はレンズ連結具１の他の実施例を示すものであり、前記実施例におけるレンズ連結具１と相違する点は、前記側部ガイド片２６，２６が省略されている点である。
かかる構成を有するレンズ連結具１によるときも、底部ガイド片１６は設けられているので、挿入片３を挿入孔１０に挿入する際、該挿入片３の先端部分２０を該底部ガイド片１６の表面（挿入面２２）に載せた状態で前記開口端１３に向けて滑らすことにより、該先端部分２０を該挿入孔１０に向けてガイドできる。
【００８３】
(2) 前記挿入片３に設ける係合突部９は、前記したような球面状を呈するものが好ましいが、連結具本体６に設けた係合凹部や係合孔部と嵌合状態で係合し得るものであれば、例えば円錐台状を呈するもの等であってもよく、球面状を呈するものには特定されない。
【００８４】
(3) 図３２、図３３は、本発明に係るレンズ連結具１のその他の実施例を示すものであり、前記後面部（顔面側の面部）３７ａとしての係合面部（顔面側の側面）３７に、前記係合孔３９が設けられていない。従って、前記レンズ連結部材２の前記挿入片３に係合突部９が設けられていない。図３２に係るレンズ連結具１にあっては、側部ガイド片２６，２６が設けられているが、図３３に係るレンズ連結具１にあっては、該側部ガイド片２６，２６が省略されており、底部ガイド片１６のみが設けられている。
図３４は、レンズ連結具１の他の実施例を示すものであり、前記挿入孔１０の両側面部７６，７６等の挿入孔内面７７で係合凹部７８又は係合孔が設けられており（図３４においては係合凹部７８が設けられており）、該係合凹部７８に、前記挿入片３に設けられた係合突部７９が係合するようになされている。或いは、図３５に示すように、前記挿入孔１０の両側面部７６，７６等の挿入孔内面７７で設けられた係合突部８０が、前記挿入片３に設けられた係合凹部８１又は係合孔に係合するように構成してもよい。
【００８５】
(4) 図３６は、前記レンズ連結具１のその他の実施例を示すものであり、連結具本体６の前記係合面部３７に、前記開口端１３から前記底部１７側に向けて延長する係合割溝８３が設けられており、該係合割溝８３の対向する溝側面８５，８５の、例えばその長さ方向の中央部位に、係合凹部８６が設けられている。該係合凹部８６は、両溝側面８５，８５に設けられる他、一方の溝側面にのみ設けられることもある。
そして前記挿入片３には、該係合割溝８３に嵌まり合う係合突条部８７が設けられており、該係合突条部８７の側面８９，８９に、前記係合凹部８６，８６と嵌まり合った状態で係合し得る係合突部９０が設けられている。
然して、かかる構成を有する挿入片３を前記挿入孔１０に挿入させる際は、前記係合突条部８７を前記係合割溝８３に嵌め入れた状態で挿入させる。このように挿入させて、該係合突条部８７の先端８１が該係合割溝８３の溝先端９２に当接したことを目視観察することにより、該挿入片３が挿入孔１０に所要に挿入されたことを確認できる。そして該当接した状態で、前記係合突部９０が前記係合凹部８６と嵌まりあった係合状態となるようになされている。
【００８６】
(5) 前記実施例においては、前記連結具本体６の前記固定面２１に突設した２本の止着ピン３２，３２を前記レンズ５に設けた止着孔２９，２９に挿通させた状態で、その突出部分３３，３３を潰すことによって抜け止め突部３６，３６を形成しているが、例えば図３７〜３８に示すように、一方の止着ピン３２ａについては前記と同様にして抜け止め突部３６が形成されるが、他方の止着ピン３２ｂは該止着孔２９に単に挿入された状態となされてレンズ連結具１の回り止め機能を発揮するように構成されることがある。この場合、該回り止め用の止着ピン３２ｂの先端９３は、レンズ５の表面から突出しないように長さ設定するのがよい。なお、該一方の止着ピン３２ａは、前記底部ガイド片１６で突設するのが、該底部ガイド片１６の固定の安定性を向上させることができて好ましい。
又図３９は、前記固定面２１に突設する止着ピン３２を１本とした場合を示すものであり、前記と同様にして、該止着ピン３２が止着孔２９に挿通され、その突出部分が潰されて抜け止め突部３６が形成されている。該止着ピン３２の横断面は、図３９（Ｂ）に示すように、正方形状や長方形状、楕円形状等の非円形に形成すると共に、レンズ５に設ける止着孔２９を、該止着ピン３２の横断面形状に合致させて設けている。従って、該止着ピン３２を該止着孔２９に密接に挿通させることにより、該止着ピン３２と該止着孔２９との係合によって確実化に回り止めされる。
【００８７】
(6) 本発明において、前記止着ピン３２を前記底部ガイド片１６で突設するとは、前記のように、該底部ガイド片１６に一部が存する状態で突設することの他、図４０に示すように、前記底部ガイド片１６に全体が存するように突設する場合を含むものである。
【００８８】
(7) 前記挿入孔１０の横断面形状は、円形状や、六角形状、長方形状、正方形状、楕円形状等各種に設定可能であり、この断面形状に合わせて挿入片３の断面形状が設定される。
【００８９】
(8) 本発明に係るレンズ連結具１は、前記実施例においては、レンズの後面（顔面側のレンズ面）に固定されているが、レンズの前面に固定されてもよい。
【００９０】
(9) 図４１、図４２は、前記挿通孔１０の先側部分を先細孔部９５として形成した場合を示すものであり、これに合わせて、前記挿入片３の先側部分を先細片９６として形成している。このように先細片９６として構成する場合は、例えば図４１（Ａ）に示すように、該先細片９６の先側部分９７を該挿入孔１０に嵌め入れて該挿入片３を挿入することにより、該挿入孔１０への挿入片３の挿入を容易且つ正確に行なうことができる。そして図４１（Ｂ）に示すように、該先細片９６が先細孔部９５に圧入状態となることにより、該挿入片３をレンズ連結具１に安定的に連結できることになる。
【００９１】
(10)前記連結具本体６は、前記した直方体箱状を呈するものには特定されず、前記止着ピン３２を突設するための面部を具えるものであれば、横断面が長方形以外の形状を呈する如く構成されることもある。
【００９２】
(11)前記連結具本体６のレンズ５に対する固定面２１は、図４３に示すように、レンズ５の表面８（後面１１や前面２２）に確実に面接触し得るような湾曲面に形成されることもある。
【００９３】
(12)前記レンズ連結部材２は前記した金属製である他、左右のレンズを連結して眼鏡を構成できるものである限り、プラスチック製等であってもよい。
【００９４】
(13)下向きに突出する左右の挿入片３，３が設けられてなるレンズ連結部材２を用いて眼鏡４２を構成する場合、レンズ連結具１が、レンズ５の内側の縁部分５７に、垂直方向乃至それに近い上下方向の配置で固定されることもある。
【００９５】
(14)左右のレンズ５，５が独立している場合も、図４４に示すように、レンズ連結具１をレンズ５の内側の縁部分５７に固定してよい。
【００９６】
(15)前記撥ね上げ式眼鏡を構成するレンズ５としては、偏光レンズや矯正レンズを用いることもできる。
【００９７】
(16)挿入片３を挿入孔１０に挿入して構成される眼鏡は、撥ね上がらないように構成されることもある。
【符号の説明】
【００９８】
１  レンズ連結具
２  レンズ連結部材
３  挿入片
５  レンズ
６  連結具本体
８  レンズの表面
９  係合突部
１０  挿入孔
１１  レンズの後面
１２  固定面部
１３  開口端
１６  底部ガイド片
２１  固定面
２２  挿入面
２６  側部ガイド片
２７  ガイド面
２９  止着孔
３０  一端
３１  下端
３２  止着ピン
３３  突出部分
３６  抜け止め突部
３７  係合面部
３９  係合孔
４２  眼鏡
４３  本体眼鏡
４５  上の縁部分
４６  連結具付きレンズ
５２  本体レンズ
５７  内側の縁部分
６０  上弦部
６９  レンズ形成基材
７０  レンズ形成板
７５  レンズ輪郭線
８３  係合割溝
８７  係合突条部
【図１】
0005143296.tif 000002
【図２】
0005143296.tif 000003
【図３】
0005143296.tif 000004
【図４】
0005143296.tif 000005
【図５】
0005143296.tif 000006
【図６】
0005143296.tif 000007
【図７】
0005143296.tif 000008
【図８】
0005143296.tif 000009
【図９】
0005143296.tif 000010
【図１０】
0005143296.tif 000011
【図１１】
0005143296.tif 000012
【図１２】
0005143296.tif 000013
【図１３】
0005143296.tif 000014
【図１４】
0005143296.tif 000015
【図１５】
0005143296.tif 000016
【図１６】
0005143296.tif 000017
【図１７】
0005143296.tif 000018
【図１８】
0005143296.tif 000019
【図１９】
0005143296.tif 000020
【図２０】
0005143296.tif 000021
【図２１】
0005143296.tif 000022
【図２２】
0005143296.tif 000023
【図２３】
0005143296.tif 000024
【図２４】
0005143296.tif 000025
【図２５】
0005143296.tif 000026
【図２６】
0005143296.tif 000027
【図２７】
0005143296.tif 000028
【図２８】
0005143296.tif 000029
【図２９】
0005143296.tif 000030
【図３０】
0005143296.tif 000031
【図３１】
0005143296.tif 000032
【図３２】
0005143296.tif 000033
【図３３】
0005143296.tif 000034
【図３４】
0005143296.tif 000035
【図３５】
0005143296.tif 000036
【図３６】
0005143296.tif 000037
【図３７】
0005143296.tif 000038
【図３８】
0005143296.tif 000039
【図３９】
0005143296.tif 000040
【図４０】
0005143296.tif 000041
【図４１】
0005143296.tif 000042
【図４２】
0005143296.tif 000043
【図４３】
0005143296.tif 000044
【図４４】
0005143296.tif 000045